(57)【特許請求の範囲】
【請求項１】
実質的に四角形の底面部と、
この底面部の左右方向に亘る辺を横罫線としてこの底面部に連なる第一側面部と、
この底面部の前後方向に亘る辺を横罫線としてこの底面部に連なる第二側面部と、
底面部の隅から放射方向に延びる第一縦罫線を介して第一側面部に連なり、かつ、第一縦罫線との間に一定角を形成させるようにして底面部の隅から放射方向に延びる第二縦罫線を介して第二側面部に連なると共に、この第一縦罫線と第二縦罫線との間にあって前記底面部の隅から放射方向に延びる第三縦罫線により二つ折りされるコーナー片部とを備えるように成形された板紙よりなり、
前記コーナー片部における第一縦罫線と第三縦罫線とに囲まれた面部が第一側面部の外面に向き合い、かつ、第二縦罫線が紙器の隅を形成するように各罫線に沿った折りを施すと共に、第一側面部の右側から折り込まれるコーナー片部の第三縦罫線上の端末部と左側から折り込まれるコーナー片部の第三縦罫線上の端末部とを重ね合わせ止着して容器状をなし、この重ね合わせ箇所を両端にフック状部を備えた取っ手体のこのフック状部を下方から引っ掛け可能な取り付け部とした紙器であって、
第一縦罫線と第三縦罫線との間において底面部の隅から放射方向に延びる仮想の縦直線に沿って前記板紙の外縁からこの隅側に向けてに所定寸法分形成された縦切線と、前記仮想の縦直線に交叉する仮想の横直線に沿ってこの縦切線と第一縦罫線との間に亘って形成された横切線とを備えてなることを特徴とする紙器。
【請求項２】
実質的に四角形の底面部と、
この底面部の左右方向に亘る辺を横罫線としてこの底面部に連なる第一側面部と、
この底面部の前後方向に亘る辺を横罫線としてこの底面部に連なる第二側面部と、
底面部の隅から放射方向に延びる第一縦罫線を介して第一側面部に連なり、かつ、第一縦罫線との間に一定角を形成させるようにして底面部の隅から放射方向に延びる第二縦罫線を介して第二側面部に連なると共に、この第一縦罫線と第二縦罫線との間にあって前記底面部の隅から放射方向に延びる第三縦罫線により二つ折りされるコーナー片部とを備えるように成形された板紙よりなり、
前記コーナー片部における第一縦罫線と第三縦罫線とに囲まれた面部が第一側面部の外面に向き合い、かつ、第二縦罫線が紙器の隅を形成するように各罫線に沿った折りを施すと共に、第一側面部の右側から折り込まれるコーナー片部の第三縦罫線上の端末部と左側から折り込まれるコーナー片部の第三縦罫線上の端末部とを重ね合わせ止着して容器状をなし、この重ね合わせ箇所を両端にフック状部を備えた取っ手体のこのフック状部を下方から引っ掛け可能な取り付け部とした紙器であって、
第一縦罫線と第三縦罫線との間において底面部の隅から放射方向に延びる仮想の縦直線に交叉する仮想の横直線に沿って前記板紙の外縁と第一縦罫線との間に亘って形成された横切線を備えてなることを特徴とする紙器。
【請求項３】
板紙の外縁が、コーナー片部の中央において、第三縦罫線上に位置される箇所を頂部とした半円弧状をなすように成形されており、取り付け部となった左右のコーナー片部のこの半円弧状の外縁により前記取っ手体のフック状部の開放端の内側に形成された爪部のガイドをなすようにしていることを特徴とする請求項１又は請求項２に記載の紙器。
【請求項４】
コーナー片部に、このコーナー片部の二つ折り時に第三縦罫線上において第二縦罫線と第三縦罫線とに囲まれた面部に連なってこのコーナー片部の折った箇所から前方に突きだし取り付け部の直下に位置する押さえ片を形成させる切り込みが設けられていることを特徴とする請求項１〜請求項３のいずれか１項に記載の紙器。
【発明の詳細な説明】
【技術分野】
【０００１】
この発明は、取っ手体の取り付け可能な紙器の改良に関する。
【背景技術】
【０００２】
図１１〜図１３に示されるように、取っ手体７００の取り付け可能な構造を備えた紙器Ｃ’がある。かかる紙器Ｃ’は、（１）四角形の底面部２００と、（２）この底面部２の左右方向に亘る辺を横罫線３００ａとしてこの底面部２に連なる第一側面部３００と、（３）この底面部２の前後方向に亘る辺を横罫線４００ａとしてこの底面部２に連なる第二側面部４００と、（４）底面部２の隅から放射方向に延びる第一縦罫線５００ａを介して第一側面部３００に連なり、かつ、第一縦罫線５００ａとの間に一定角を形成させるようにして底面部２の隅から放射方向に延びる第二縦罫線５００ｂを介して第二側面部４００に連なると共に、この第一縦罫線５００ａと第二縦罫線５００ｂとの間にあって前記底面部２の隅から放射方向に延びる第三縦罫線５００ｃにより二つ折りされるコーナー片部５００とを備えるように成形された板紙よりなり、（５）前記コーナー片部５００における第一縦罫線５００ａと第三縦罫線５００ｃとに囲まれた面部が第一側面部３００の外面に向き合い、かつ、第二縦罫線５００ｂが紙器Ｃ’の隅を形成するように各罫線３００ａ、４００ａ、５００ａ、５００ｂ、５００ｃに沿った折りを施すと共に、第一側面部３００の右側から折り込まれるコーナー片部５００の第三縦罫線５００ｃ上の端末部と左側から折り込まれるコーナー片部５００の第三縦罫線５００ｃ上の端末部とを重ね合わせ止着して容器状をなす。（６）そして、この重ね合わせ箇所を両端にフック状部７００ａを備えた取っ手体７００のこのフック状部を７００ａ下方から引っ掛け可能な取り付け部６００としている。
【０００３】
しかしながら、かかる紙器Ｃ’にあっては、前記コーナー片部５００における前記底面部２の隅からこのコーナー片部５００における板紙の外縁までの距離は、紙器Ｃ’の深さ、つまり、前記側面部の高さ依存されるため、紙器Ｃ’が一定以上浅くなると前記のように折り込まれた左右のコーナー片部５００の端末部同士を重なり合わせることができなくなる。（図１４）すなわち、前記フック状部７００ａの取り付け部６００を形成させることができなくなる。この場合、前記第一側面部３００に前記フック状部７００ａを引っ掛けるための穴などを形成すれば取っ手体７００の取り付けは可能であるが、これはウォータータイト構造の紙器Ｃ’にはそぐわない。
【発明の概要】
【発明が解決しようとする課題】
【０００４】
この発明が解決しようとする主たる問題点は、この種の紙器に、その深さ寸法に影響されることなく、かつ、その水密性を低下させることなく、前記の取っ手体の取り付け部を適切に形成できるようにする点にある。
【課題を解決するための手段】
【０００５】
前記課題を達成するために、この発明にあっては、第一の観点から、紙器を、実質的に四角形の底面部と、
この底面部の左右方向に亘る辺を横罫線としてこの底面部に連なる第一側面部と、
この底面部の前後方向に亘る辺を横罫線としてこの底面部に連なる第二側面部と、
底面部の隅から放射方向に延びる第一縦罫線を介して第一側面部に連なり、かつ、第一縦罫線との間に一定角を形成させるようにして底面部の隅から放射方向に延びる第二縦罫線を介して第二側面部に連なると共に、この第一縦罫線と第二縦罫線との間にあって前記底面部の隅から放射方向に延びる第三縦罫線により二つ折りされるコーナー片部とを備えるように成形された板紙よりなり、
前記コーナー片部における第一縦罫線と第三縦罫線とに囲まれた面部が第一側面部の外面に向き合い、かつ、第二縦罫線が紙器の隅を形成するように各罫線に沿った折りを施すと共に、第一側面部の右側から折り込まれるコーナー片部の第三縦罫線上の端末部と左側から折り込まれるコーナー片部の第三縦罫線上の端末部とを重ね合わせ止着して容器状をなし、この重ね合わせ箇所を両端にフック状部を備えた取っ手体のこのフック状部を下方から引っ掛け可能な取り付け部とした紙器であって、
第一縦罫線と第三縦罫線との間において底面部の隅から放射方向に延びる仮想の縦直線に沿って前記板紙の外縁からこの隅側に向けてに所定寸法分形成された縦切線と、前記仮想の縦直線に交叉する仮想の横直線に沿ってこの縦切線と第一縦罫線との間に亘って形成された横切線とを備えてなるものとした。
【０００６】
また、前記課題を達成するために、この発明にあっては、第二の観点から、紙器を、実質的に四角形の底面部と、
この底面部の左右方向に亘る辺を横罫線としてこの底面部に連なる第一側面部と、
この底面部の前後方向に亘る辺を横罫線としてこの底面部に連なる第二側面部と、
底面部の隅から放射方向に延びる第一縦罫線を介して第一側面部に連なり、かつ、第一縦罫線との間に一定角を形成させるようにして底面部の隅から放射方向に延びる第二縦罫線を介して第二側面部に連なると共に、この第一縦罫線と第二縦罫線との間にあって前記底面部の隅から放射方向に延びる第三縦罫線により二つ折りされるコーナー片部とを備えるように成形された板紙よりなり、
前記コーナー片部における第一縦罫線と第三縦罫線とに囲まれた面部が第一側面部の外面に向き合い、かつ、第二縦罫線が紙器の隅を形成するように各罫線に沿った折りを施すと共に、第一側面部の右側から折り込まれるコーナー片部の第三縦罫線上の端末部と左側から折り込まれるコーナー片部の第三縦罫線上の端末部とを重ね合わせ止着して容器状をなし、この重ね合わせ箇所を両端にフック状部を備えた取っ手体のこのフック状部を下方から引っ掛け可能な取り付け部とした紙器であって、
第一縦罫線と第三縦罫線との間において底面部の隅から放射方向に延びる仮想の縦直線に交叉する仮想の横直線に沿って前記板紙の外縁と第一縦罫線との間に亘って形成された横切線を備えてなるものとした。
【０００７】
前記横切線の長さ、すなわち、第一縦罫線と仮想の縦直線との間の距離を大きくすればするほど、前記のように折り込まれたコーナー片部の端末部は、それが右側から折り込まれるコーナー片部であればより左側に位置され、それが左側から折り込まれるコーナー片部であればより右側に位置されるようになる。これにより、紙器の深さに影響されることなく、前記取り付け部を適切に形成させることができる。すなわち、構成される紙器の深さに基づく前記底面部の隅からコーナー片部における板紙の外縁までの距離に応じて横切線の長さを調整することで、第一側面部の外側において折り込まれた左右のコーナー片部の端末部同士が前記止着可能に重なり合う状態を容易に作り出すことができる。
【０００８】
前記板紙の外縁が、コーナー片部の中央において、第三縦罫線上に位置される箇所を頂部とした半円弧状をなすように成形されており、取り付け部となった左右のコーナー片部のこの半円弧状の外縁により前記取っ手体のフック状部の開放端の内側に形成された爪部のガイドをなすようにしておけば、紙器に取り付けられた取っ手体の左右方向への回動を円滑になさしめることができる。
【０００９】
また、前記コーナー片部に、このコーナー片部の二つ折り時に第三縦罫線上において第二縦罫線と第三縦罫線とに囲まれた面部に連なってこのコーナー片部の折った箇所から前方に突きだし取り付け部の直下に位置する押さえ片を形成させる切り込みを設けておけば、前記取り付け部に前記のように取り付けられた取っ手体のフック状部の開放端と反対の側を、前記押さえ片により下方から支持して、かかる取り付け状態を安定的に維持することができる。
【発明の効果】
【００１０】
この発明によれば、紙器の深さに影響されることなく、その水密性を低下させない態様で、取っ手体の取り付け部を適切に形成させることができる。
【図面の簡単な説明】
【００１１】
【図１】図１は実施の形態にかかる紙器の一例を構成する板紙を展開状態で示した平面図である。
【図２】図２は図１の板紙に折りを施して各側板部及びコーナー片部を立ち上げる途中の状態を示した斜視図である。
【図３】図３は前記紙器の一例の斜視図である。
【図４】図４は前記紙器の一例に取っ手体を取り付けた状態を示した斜視図である。
【図５】図５は図４におけるＡ−Ａ線断面図である。
【図６】図６は図１〜図５に示される紙器よりも浅く構成される紙器の他の一例を構成する板紙を展開状態で示した平面図である。
【図７】図７は前記紙器の他の一例の斜視図である。
【図８】図８は前記紙器の他の一例に取っ手体を取り付けた状態を示した斜視図である。
【図９】図９は図１〜図５に示される紙器の構成の一部を変更させた紙器を構成する板紙を展開状態で示した平面図である。
【図１０】図１０は図９の板紙から構成される紙器の斜視図である。
【図１１】図１１は従来の紙器を構成する板紙を展開状態で示した平面図である。
【図１２】図１２は従来の紙器の斜視図である。
【図１３】図１３は従来の紙器に取っ手体を取り付けた状態を示した斜視図である。
【図１４】図１４は図１１〜図１３に示される従来の構造の紙器を単純に浅くした構成例を示した斜視図である。
【発明を実施するための形態】
【００１２】
以下、図１〜図１０に基づいて、この発明の典型的な実施の形態について、説明する。この実施の形態にかかる紙器Ｃは、板紙１から生成される容器であって、ウォータータイト構造で、かつ、取っ手体９の取り付け部６を備えたものである。
【００１３】
具体的には、かかる紙器Ｃは、打抜加工により打ち抜かれた板紙１から生成されている。かかる板紙１には前記打抜加工において、後述の罫線３ａ、４ａ、５ａ、５ｂ、５ｃ（筋押によって付される筋）と、切線７、８（切れ目）とが施される。かかる板紙１に、前記罫線に沿った折りと、後述の止着（左右のコーナー片部の端末部同士の止着）とを施すことで、上面開口の紙器Ｃが生成される。
【００１４】
より具体的には、かかる紙器Ｃは、一つの底面部２と、四つの側面部３…４と、四つのコーナー片部５…５とを備えた板紙１から生成される。
【００１５】
底面部２は、実質的に四角形をなす。底面部２の各辺２ａ、２ｂは若干の曲率を持っていても構わない。図示の例では、かかる底面部２は、長方形となっている。
【００１６】
四つの側面部３…４は、二つの第一側面部３、３と、二つの第二側面部４、４とからなる。第一側面部３は、前記底面部２の左右方向に亘る辺２ａを横罫線３ａとしてこの底面部２に連なる。第二側面部４は、前記底面部２の前後方向に亘る辺２ｂを横罫線４ａとしてこの底面部２に連なる。図示の例では、底面部２の左右方向に亘る辺２ａはこの底面部２の幅側の辺であり、底面部２の前後方向に亘る辺２ｂはこの底面部２の長さ側の辺となっている。
【００１７】
コーナー片部５は、前記底面部２の隅２ｃから放射方向に延びる第一縦罫線５ａを介して第一側面部３に連なり、かつ、第一縦罫線５ａとの間に一定角を形成させるようにして底面部２の隅２ｃから放射方向に延びる第二縦罫線５ｂを介して第二側面部４に連なると共に、この第一縦罫線５ａと第二縦罫線５ｂとの間にあって前記底面部２の隅２ｃから放射方向に延びる第三縦罫線５ｃにより二つ折りされる。
【００１８】
図示の例では、第一縦罫線５ａと第二縦罫線５ｂとがなす前記一定角は直角よりもやや小さい鋭角となっている。
【００１９】
そして、この実施の形態にあっては、前記コーナー片部５における第一縦罫線５ａと第三縦罫線５ｃとに囲まれた面部５ｄが第一側面部３の外面３ｂに向き合い、かつ、第二縦罫線５ｂが紙器Ｃの隅Ｃａを形成するように各罫線３ａ、４ａ、５ａ、５ｂ、５ｃに沿った折りを施すと共に、第一側面部３の右側から折り込まれるコーナー片部５の第三縦罫線５ｃ上の端末部５ｅと左側から折り込まれるコーナー片部５の第三縦罫線５ｃ上の端末部５ｅとを重ね合わせ止着して、前記紙器Ｃを構成させている。かかる止着は、典型的には接着によりなされる。
【００２０】
また、かかる紙器Ｃにおける左右のコーナー片部５、５の前記重ね合わせ箇所は、両端にフック状部９ａを備えた取っ手体９のこのフック状部９ａを下方から引っ掛け可能な取り付け部６となっている。
【００２１】
図示の例では、かかる取っ手体９は、細い帯状体９ｃの両端にそれぞれフック状部９ａを形成させてなる。そして、この取っ手体９の一方のフック状部９ａを前記のように構成される紙器Ｃの一方の第一側面部３側にある取り付け部６に引っ掛け、かつ、この取っ手体９の他方のフック状部９ａを前記のように構成される紙器Ｃの他方の第一側面部３側にある取り付け部６に引っ掛けることで、前後の第一側面部３間に亘るようにして紙器Ｃに対し取っ手体９が備えられるようになっている。
【００２２】
この実施の形態にあっては、かかる取っ手体９のフック状部９ａは、前記帯状体９ｃの端末に連接部９ｄを介して一端を一体に連接させてこの帯状体９ｃの中央側に向けて延びるフック構成片９ｅによって構成されている。フック構成片９ｅの他端であって帯状体９ｃに向き合った側には爪部９ｆが形成されており、この爪部９ｆと帯状体９ｃ間の隙間は取り付け部６の厚さより小さくなっている。すなわち、前記取っ手体９は、そのフック状部９ａの開放端９ｂの内側に爪部９ｆを備えている。
【００２３】
この実施の形態にあっては、取っ手体９の端部を第一側面部３と取り付け部６との間に上方から挿通させた後に、この端部を上方に移動させてフック状部９ａのフック構成片９ｅが取り付け部６の外面側６ａに位置し、かつ、帯状体９ｃの端末側が取り付け部６の内面側６ｂに位置するように、前記開放端９ｂから両者の間に取り付け部６を入れ込むようにすると、前記連接部９ｄの側を略中心としてフック構成片９ｅが帯状体９ｃとの間の前記隙間を広げる向きに弾性変形し、この入れ込みを許容するようになっている。そしてこの後、前記爪部９ｆが取り付け部６の上縁６ｃ上に位置される位置までかかる入れ込みがなされると、フック構成片９ｅが弾性復帰され爪部９ｆがこの上縁６ｃに引っかかるようになっている。（図４及び図５）かかる取っ手体９は、典型的には、合成樹脂から構成される。
【００２４】
また、この実施の形態にかかる紙器Ｃは、前記第一縦罫線５ａと第三縦罫線５ｃとの間において底面部２の隅２ｃから放射方向に延びる仮想の縦直線ｘに沿って前記板紙１の外縁からこの隅２ｃ側に向けて所定寸法分形成された縦切線７と、前記仮想の縦直線ｘに交叉する仮想の横直線ｙに沿ってこの縦切線７の終端７ａと第一縦罫線５ａとの間に亘って形成された横切線８とを備えている。かかる縦切線７と底面部２の隅２ｃとの間に位置される範囲が、紙器Ｃにおいて実質的に水密な深さとなる。
【００２５】
前記横切線８の長さ、すなわち、第一縦罫線５ａと縦切線７との間の距離を大きくすればするほど、前記のように折り込まれたコーナー片部５の端末部５ｅは、それが右側から折り込まれるコーナー片部５であればより左側に位置され、それが左側から折り込まれるコーナー片部５であればより右側に位置されるようになる。これにより、紙器Ｃの深さに影響されることなく、前記取り付け部６を適切に形成させることができる。すなわち、構成される紙器Ｃの深さに基づく前記底面部２の隅２ｃからコーナー片部５における板紙１の外縁までの距離に応じて横切線８の長さを調整することで、第一側面部３の外側において折り込まれた左右のコーナー片部５、５の端末部５ｅ同士が前記止着可能に重なり合う状態を容易に作り出すことができる。具体的には、図１〜図５に示される例よりも紙器Ｃの深さを浅くする図６〜図８の例では、図１〜図５に示される例よりも横切線８を長くさせる。
【００２６】
また、この実施の形態にあっては、前記板紙１の外縁が、コーナー片部５の中央において、第三縦罫線５ｃ上に位置される箇所を頂部とした半円弧状をなすように成形されており、取り付け部６となった左右のコーナー片部５のこの半円弧状の外縁５ｆにより前記取っ手体９のフック状部９ａの開放端９ｂの内側に形成された爪部９ｆのガイドをなすようにしている。これにより、この実施の形態にあっては、紙器Ｃに取り付けられた取っ手体９の左右方向への回動が円滑になされるようになっている。
【００２７】
図９及び図１０に示される例では、前記縦切線７を形成させずに、第一縦罫線５ａと第三縦罫線５ｃとの間において底面部２の隅２ｃから放射方向に延びる仮想の縦直線ｘに交叉する仮想の横直線ｙに沿って前記板紙１の外縁と第一縦罫線５ａとの間に亘って横切線８のみを形成させている。また、この例では、前記コーナー片部５の半円弧状の部分における第三縦罫線５ｃを挟んだ対称位置にそれぞれ凹み５ｉを形成させている。このような凹み５ｉを形成させておけば、前記取り付け部６の左右方向中程の位置にこの凹み５ｉを位置させるようにすることができる。したがって、この凹み５ｉに前記取っ手体９のフック状部９ａの爪部９ｆを納めることで、前記取っ手体９を構成する帯状体９ｃが紙器Ｃの左右方向中程の位置から鉛直方向に延びるようにした取っ手体９の姿勢を保持できるようになる。これにより、取っ手体９を把持して紙器Ｃを下げ持ったときに紙器Ｃができるだけ傾かないようにすることができる。
【００２８】
また、この実施の形態にあっては、コーナー片部５に、このコーナー片部５の二つ折り時に第三縦罫線５ｃ上において第二縦罫線５ｂと第三縦罫線５ｃとに囲まれた面部に連なってこのコーナー片部５の折った箇所から前方に突きだし取り付け部６の直下に位置する押さえ片５ｇを形成させる切り込み５ｈが設けられている。図示の例では、かかる切り込み５ｈは、第三縦罫線５ｃ側を湾曲内側とし、且つ、切り込み５ｈの上端と切り込み５ｈの下端とをそれぞれこの第三縦罫線５ｃに接しさせる半円状をなし、コーナー片部５における第一縦罫線５ａと第三縦罫線５ｃとに囲まれた面部５ｄに形成されている。これにより、この実施の形態にあっては、取り付け部６に前記のように取り付けられた取っ手体９のフック状部９ａの開放端と反対の側を、前記押さえ片５ｇにより下方から支持して、かかる取り付け状態を安定的に維持している。
【符号の説明】
【００２９】
Ｃ  紙器
Ｃａ  隅
２  底面部
２ａ  隅
３  第一側面部
３ｂ  外面
５  コーナー片部
５ａ  第一縦罫線
５ｂ  第二縦罫線
５ｃ  第三縦罫線
６  取り付け部
７  縦切線
８  横切線
９  取っ手体
９ａ  フック状部
ｘ  仮想の縦直線
ｙ  仮想の横直線
【図１】
0005684647.tif 000002
【図２】
0005684647.tif 000003
【図３】
0005684647.tif 000004
【図４】
0005684647.tif 000005
【図５】
0005684647.tif 000006
【図６】
0005684647.tif 000007
【図７】
0005684647.tif 000008
【図８】
0005684647.tif 000009
【図９】
0005684647.tif 000010
【図１０】
0005684647.tif 000011
【図１１】
0005684647.tif 000012
【図１２】
0005684647.tif 000013
【図１３】
0005684647.tif 000014
【図１４】
0005684647.tif 000015